(57)【要約】      （修正有）【課題】マスクの装着者が吐き出す空気をマスクの外へ拡散することを適切に防ぎながら、マスクと、装着者におけるマスクの装着部分との間の熱の鬱積を抑えることができ、夏などの気温が高い環境においても装着者の体温の上昇を抑えることができるインナースペーサを提供する。【解決手段】長板状をなしており、長手方向が装着者の左右方向にほぼ沿うように配置され、かつ、装着者の鼻の形状に合わせて弾性変形させて装着者の鼻に対して接触配置される鼻当て部１１と、鼻当て部の長手方向の両端にそれぞれ設けられた一対の支持部２１、２２と、一対の支持部のそれぞれから、左右方向に沿って外側へ長板状に延び、装着者の鼻から頬に至る曲面に合わせて弾性変形させて接触配置される一対の保持部３１、３２と、一対の支持部のそれぞれからマスクの内面側へ延び、弾性変形可能な、第１腕部４１、４２と第２腕部５１、５２を備える空間形成腕部とを備える。【選択図】図１
0003227752.tif 000002
【実用新案登録請求の範囲】
【請求項１】
マスクを装着する装着者の顔面におけるマスク装着部分と前記マスクの内面との間に介装されるインナースペーサであって、
長板状をなしており、長手方向が前記装着者の左右方向にほぼ沿うように配置され、かつ、前記装着者の鼻の形状に合わせて弾性変形させて前記装着者の鼻に対して接触配置される鼻当て部と、
前記鼻当て部の長手方向の両端にそれぞれ設けられた一対の支持部と、
前記一対の支持部のそれぞれから、左右方向に沿って外側へ長板状に延び、前記装着者の鼻から頬に至る曲面に合わせて弾性変形させて接触配置される一対の保持部と、
前記一対の支持部のそれぞれから前記マスクの内面側へ延び、弾性変形可能な、少なくとも一対の空間形成腕部と、を備えることを特徴とするインナースペーサ。
【請求項２】
前記空間形成腕部は、一対の第１腕部と、一対の第２腕部とを備え、
前記一対の第１腕部は、前記インナースペーサを正面から見たときに、前記一対の支持部のそれぞれから、前記一つの保持部に略平行に外側へ延び、それぞれの先端に前記マスクの内面に面接触する第１接触部を有し、
前記一対の第２腕部は、前記インナースペーサを正面から見たときに、前記一対の支持部のそれぞれから、下側へ延び、それぞれの先端に前記マスクの内面に面接触する第２接触部を有する請求項１に記載のインナースペーサ。
【請求項３】
前記支持部は、上下に延びる矩形状の外形を有する枠部と、上部のみが前記枠部に接続され、前記枠部内において下方へ延び、弾性変形可能な舌部とを備え、前記枠部と前記舌部とによりシート材を挟持可能なクリップ構造を有する請求項１又は請求項２に記載のインナースペーサ。
【考案の詳細な説明】
【技術分野】
【０００１】
本考案は、マスク装着部分とマスクとの間に介装されるインナースペーサに関する。
【背景技術】
【０００２】
特許文献１に記載のレスピレータ（マスク）は、レスピレータ本体と、レスピレータ本体に取り付けられるノーズクリップとを含み、ノーズクリップは、第１と第２の翼、第１と第２のフレーム部材を含む中間部を有する非直線状ストリップであって、第１の翼と中間部の間、中間部の中央、中間部と第２の翼にそれぞれ位置する第１〜第３の変曲部を含む。このような構成により、装着者の鼻孔を通る空気の流れを実質的に制限せずに、装着者が快適に装着することができるレスピレータを提供することができる。そして、装着者によって呼気された汚染物に暴露されるおそれのある他者を適切に保護でき、かつ、装着者の眼鏡レンズが、呼気がマスク内部から鼻の上及び目の下に流出して曇ることも防止することができるというものである。
【先行技術文献】
【特許文献】
【０００３】
【特許文献１】特表平１０−５０７１１７号公報
【考案の概要】
【考案が解決しようとする課題】
【０００４】
しかしながら、特許文献１に記載のノーズクリップは、マスク（レスピレータ）の内面と装着者の顔の肌との間の空間の密閉度を高くし、かつ、マスクの内面と肌との距離が近くなるように設計されているため、夏などの気温が高い環境においては、マスクと肌との間の空間に熱が鬱積しやすくなり、装着者の体温の上昇を招きやすいという問題がある。
【０００５】
そこで本考案は、装着者が吐き出す空気を外へ拡散することを適切に防ぎながら、マスクと肌（装着者における装着部分）との間の熱の鬱積を抑えることができるように、マスクと肌との間に介装されるインナースペーサを提供することを目的とする。
【課題を解決するための手段】
【０００６】
上記課題を解決するために、本考案のインナースペーサは、マスクを装着する装着者の顔面におけるマスク装着部分とマスクの内面との間に介装されるインナースペーサであって、長板状をなしており、長手方向が装着者の左右方向にほぼ沿うように配置され、かつ、装着者の鼻の形状に合わせて弾性変形させて装着者の鼻に対して接触配置される鼻当て部と、鼻当て部の長手方向の両端にそれぞれ設けられた一対の支持部と、一対の支持部のそれぞれから、左右方向に沿って外側へ長板状に延び、装着者の鼻から頬に至る曲面に合わせて弾性変形させて接触配置される一対の保持部と、一対の支持部のそれぞれからマスクの内面側へ延び、弾性変形可能な、少なくとも一対の空間形成腕部とを備えることを特徴としている。
【０００７】
本考案のインナースペ−サにおいて、空間形成腕部は、一対の第１腕部と、一対の第２腕部とを備え、一対の第１腕部は、インナースペーサを正面から見たときに、一対の支持部のそれぞれから、一つの保持部に略平行に外側へ延び、それぞれの先端にマスクの内面に面接触する第１接触部を有し、一対の第２腕部は、インナースペーサを正面から見たときに、一対の支持部のそれぞれから、下側へ延び、それぞれの先端にマスクの内面に面接触する第２接触部を有することが好ましい。
【０００８】
本考案のインナースペ−サにおいて、支持部は、上下に延びる矩形状の外形を有する枠部と、上部のみが枠部に接続され、枠部内において下方へ延び、弾性変形可能な舌部とを備え、枠部と舌部とによりシート材を挟持可能なクリップ構造を有することが好ましい。
【考案の効果】
【０００９】
本考案によると、マスクの装着者が吐き出す空気をマスクの外へ拡散することを適切に防ぎながら、マスクと、装着者におけるマスクの装着部分との間の熱の鬱積を抑えることができ、夏などの気温が高い環境においても装着者の体温の上昇を抑えることができるインナースペーサを提供することができる。
【図面の簡単な説明】
【００１０】
【図１】（ａ）は本考案の第１実施形態に係るインナースペーサの構成を示す斜視図、（ｂ）は（ａ）に示すインナースペーサの平面図、（ｃ）は（ａ）に示すインナースペーサの支持部を拡大して示す斜視図、（ｄ）は（ａ）に示すインナースペーサの側面図である。
【図２】本考案の第１実施形態に係るインナースペーサの装着工程を示す平面図であって、（ａ）は装着前の状態を示す図、（ｂ）はインナースペーサを装着者の鼻に装着した状態を示す図、（ｃ）は（ｂ）の状態においてマスクをインナースペーサの上から装着した状態を示す図である。
【図３】（ａ）は支持部から延びる、第１腕部と第２腕部（空間形成腕部）をマスクのプリーツに掛止させた状態を示す正面図、（ｂ）は（ａ）の状態のときの側面図、（ｃ）は第1腕部とプリーツとの位置関係を示す斜視図である。
【図４】本考案の第１実施形態に係るインナースペーサを介装した状態で装着者が顔面上にマスクを装着した状態を示す側面図である。
【図５】（ａ）は支持材のクリップ構造によってシート材を挟持した状態のインナースペーサを示す斜視図、（ｂ）はシート材を挟持したインナースペーサを介装してマスクを顔面上に装着した状態を示す側面図である。
【図６】（ａ）は本考案の第２実施形態に係るインナースペーサの構成を示す斜視図、（ｂ）は（ａ）に示すインナースペーサの平面図、（ｃ）は（ａ）に示すインナースペーサの支持部を拡大して示す斜視図、（ｄ）は（ａ）に示すインナースペーサの側面図である。７
【図７】（ａ）は図６（ａ）に示すインナースペーサの第２腕部の第２接触部を拡大して示す斜視図、（ｂ）は（ａ）に示す第２接触部の先端接触体と中間接触体の接続部分を拡大して示す斜視図、（ｃ）は、支持部から延びる、第１腕部と第２腕部（空間形成腕部）をマスクのプリーツに掛止させた状態を示す正面図、（ｄ）は（ｃ）の状態のときの側面図である。
【図８】（ａ）は、本考案の第２実施形態に係るインナースペーサを介装してマスクを顔面上に装着した状態を示す側面図、（ｂ）は、支持材のクリップ構造によってシート材を挟持した状態のインナースペーサを介装してマスクを顔面上に装着した状態を示す側面図である。
【考案を実施するための形態】
【００１１】
以下、本考案の実施形態に係るインナースペーサについて図面を参照しつつ詳しく説明する。以下の説明において、前後左右上下の方向は、インナースペーサ１０及びマスク１００（図４、図５参照）を、これらを装着した装着者Ｕ（装着者の顔面）から見た方向である。前側は、装着者Ｕから見てマスクとインナースペーサが配置される側であり、マスクはインナースペーサの前方に配置される。インナースペーサ１０は、第１保持部３１が左側、第２保持部３２が右側となり、支持部２１、２２のそれぞれから第２腕部５１、５２が下側へ延びるように、装着者の顔面Ｕに対して装着される。
【００１２】
＜第１実施形態＞
図１（ａ）、（ｂ）に示すように、第１実施形態に係るインナースペーサ１０は、湾曲させた長板状の鼻当て部１１と、鼻当て部１１の長手方向Ｌの両端に設けられた一対の支持部２１、２２とを備える。
【００１３】
左側の支持部２１からは、第１保持部３１と、第１腕部４１と、第２腕部５１とが延出している。第１保持部３１は、鼻当て部１１の長手方向Ｌに沿って、鼻当て部１１から離れるように左側へ延び、第１腕部４１は、支持部２１において第１保持部３１よりも下側の位置から、第１保持部３１と略平行に左側へ、かつ、前側へ延びている。第２腕部５１は、支持部２１の下端部から、下側へ、かつ、前側へ延びている。
【００１４】
右側の支持部２２からは、第２保持部３２と、第１腕部４２と、第２腕部５２とが延出している。第２保持部３２は、鼻当て部１１の長手方向Ｌに沿って、鼻当て部１１から離れるように右側へ延び、第１腕部４２は、支持部２１において第２保持部３２よりも下側の位置から、第２保持部３２と略平行に右側へ、かつ、前側へ延びている。第２腕部５２は、支持部２２の下端部から、下側へ、かつ、前側へ延びている。
【００１５】
左側の支持部２１、第１保持部３１、第１腕部４１、及び、第２腕部５１と、右側の支持部２２、第２保持部３２、第１腕部４２、及び、第２腕部５２とは、互いに左右対称な形状で設けられている。
【００１６】
インナースペーサ１０は、外力が加わったときに弾性変形可能な柔軟性を有する材料として、薄い板状の樹脂材料又は金属材料を成形することによって形成される。この材料は、人の肌に触れることを考慮して、生体適合材が好ましく、また、使用中にかかる負荷による破損を防止する点から耐久性を有することが好ましい。
【００１７】
図１（ｂ）に示すように、鼻当て部１１は、長板状の部材を前側へ突出するように湾曲させた形状を有しており、長手方向が装着者Ｕ（装着者の顔面）の左右方向にほぼ沿うように配置され、かつ、装着者Ｕの鼻Ｎの形状に合わせて弾性変形させて装着者Ｕの鼻Ｎに対して接触配置される（図２（ｃ）参照）。この状態からマスク１００でインナースペーサ１０を覆い、マスク１００のノーズワイヤ１０２を、装着者Ｕの鼻Ｎの形状に合わせて弾性変形させることでマスク１００のマスク本体１０１を、鼻Ｎ及びインナースペーサ１０に対して位置決めする。さらに、マスク１００の一対の掛けひも１０６を装着者Ｕの両耳にそれぞれ掛けることにより、インナースペーサ１０を装着者Ｕの顔面側へ押しつける力が働くため、装着者の顔面Ｕにおけるマスク装着部分とマスク本体１０１の内面１０１ａとの間に介装された状態でインナースペーサ１０が位置決めされる。
【００１８】
図４、図５に示すように、一対の保持部３１、３２は、鼻当て部１１を装着者Ｕの鼻Ｎに装着したときに、装着者Ｕの鼻Ｎから頬に至る曲面に合わせて弾性変形させて接触配置される。これにより、鼻当て部１１の変形による位置決めに加えて、装着者Ｕの左右の頬に左右の保持部３１、３２がそれぞれ接触することにより、インナースペーサ１０が装着者Ｕの顔面に対して安定して装着される。
【００１９】
図４に示すように、一対の第１腕部４１、４２、及び、一対の第２腕部５１、５２は、マスク本体１０１の内面１０１ａと、装着者Ｕの顔面におけるマスク装着部分との間に空間Ｓを形成する空間形成腕部を構成する。空間形成腕部は、第１実施形態のように異なる方向に延びるように二対設けると、広い空間を形成しやすくなるため好ましいが、一対又は三対以上設ける構成も可能である。また、第１実施形態のように左右対称形状ではなく、非対称に設けることもでき、こうすることで、より少ない数の腕部で広い空間を形成することができる場合がある。さらにまた、一対の第１腕部４１、４２、及び、一対の第２腕部５１、５２のように、左右方向又は下方向に延出させるのではなく、支持部２１、２２から略直線的に前方に延ばし、かつ、前後方向に弾性変形可能に設けても良い。
【００２０】
左側の第１腕部４１は、長板状の部材を、その長手方向において複数箇所で屈曲させることによって、全体として前側へ、すなわちマスク１００のマスク本体１０１の内面１０１ａへ向かうように形成された帯状部４１ａと、帯状部４１ａの先端部に設けられた、矩形板状の第１接触部４１ｂとを備える。右側の第１腕部４２は、左側の第１腕部４１と同様に、長板状の部材を、その長手方向において複数箇所で屈曲させることによって、全体として前側へ向かうように形成された帯状部４２ａと、帯状部４２ａの先端部に設けられた、矩形板状の第１接触部４２ｂとを備える。
【００２１】
左側の第２腕部５１は、第１腕部４１、４２と同様に、長板状の部材を、その長手方向において複数箇所で屈曲させることによって、全体として前側へ、すなわちマスク１００のマスク本体１０１の内面１０１ａへ向かうように形成された帯状部５１ａと、帯状部５１ａの先端部に設けられた、矩形板状の第２接触部５１ｂとを備える。右側の第２腕部５２は、左側の第２腕部５１と同様に、長板状の部材を、その長手方向において複数箇所で屈曲させることによって、全体として前側へ向かうように形成された帯状部５２ａと、帯状部５２ａの先端部に設けられた、矩形板状の第２接触部５２ｂとを備える。
【００２２】
ここで、マスク１００とインナースペーサ１０を装着者Ｕの顔へ装着する手順について、図２（ａ）〜（ｃ）を参照しつつ説明する。なお、図２（ａ）〜（ｃ）に示す例では、マスク１００とインナースペーサ１０を同時に指で保持して装着しているが、先にインナースペーサ１０を鼻Ｎに仮装着した後にマスク１００で覆うように装着することもできる。
【００２３】
図２（ａ）に示すように、装着者Ｕは、マスク本体１０１とインナースペーサ１０を前後に対向させた状態で左手の指ＦＬと右手の指ＦＲで保持して、自身の顔の前方に配置する。このとき、装着者Ｕは、左手の指ＦＬでインナースペーサ１０の第１保持部３１とマスク本体１０１の左端とを保持し、右手の指ＦＲで第２保持部３２とマスク本体１０１の右端を把持している。
【００２４】
次に、図２（ｂ）に示すように、装着者Ｕは、後向きの力（後頭部側へ向かう力）を与えつつ、インナースペーサ１０の鼻当て部１１を自身の鼻Ｎに押し当てる。すると、鼻当て部１１はその弾性によって鼻Ｎの形状に沿って変形するため、インナースペーサ１０は、鼻当て部１１が鼻Ｎの外面に沿って密着する。鼻Ｎは下に行くほど前方に隆起しているため、インナースペーサ１０は鼻Ｎ上で保持される。
【００２５】
さらに、図２（ｃ）に示すように、装着者Ｕは、インナースペーサ１０が鼻Ｎに密着した状態で、インナースペーサ１０の前方から、マスク本体１０１のノーズワイヤ１０２を自身の鼻Ｎに押し当てる。ノーズワイヤ１０２は、上下方向において、鼻当て部１１とほぼ同じ位置が好ましい。ノーズワイヤ１０２を鼻Ｎに押し当てると、装着者Ｕがノーズワイヤ１０２に与えた後向きの力によって、ノーズワイヤ１０２が鼻Ｎの形状に沿って変形する。これにより、インナースペーサ１０の鼻当て部１１を間に挟んだ状態（介装状態）でノーズワイヤ１０２が鼻Ｎの外面に沿って配置され、鼻当て部１１とノーズワイヤ１０２を介してマスク１００とインナースペーサ１０が略一体化される。
【００２６】
そして、マスク１００の一対の掛けひも１０６を両耳にそれぞれ掛止することでマスク１００が装着者Ｕの顔への装着が完了する（図４参照）。掛けひも１０６を掛止することで、鼻Ｎにおいてマスク１００と略一体化されたインナースペーサ１０に後向きの力がさらに加わるため、インナースペーサ１０が鼻Ｎに対して確実に保持される。このとき、左右の保持部３１、３２が弾性変形しつつ装着者Ｕの頬の曲面に沿って接触することで、インナースペーサ１０の装着者Ｕの顔への密着度がさらに高まる。
【００２７】
なお、ノーズワイヤ１０２を鼻Ｎに密着される工程と、掛けひも１０６を耳に掛ける工程は、上述の手順と逆の順序であってもよい。
【００２８】
図２（ｃ）と図４に示すように、対となる第１接触部４１ｂ、４２ｂ、及び、別の対となる第２接触部５１ｂ、５２ｂの少なくとも一方の対は、インナースペーサ１０を、マスク１００と装着者Ｕの顔との間に介装したときに、マスク１００の内面１０１ａに対して面接触し、接触した接触部に対応する帯状部（帯状部４１ａ、４２ａ又は帯状部５１ａ、５２ａ）の弾性によって、マスクと装着者Ｕの顔との間に空間Ｓが形成される。
【００２９】
ここで、インナースペーサ１０を設けない場合、又は、第１接触部４１ｂ、４２ｂ、及び、第２接触部５１ｂ、５２ｂを設けない場合には、図２（ｃ）で太い破線で示すように、マスク本体１０１の内面１０１ａが装着者Ｕの顔に近接し、顔との距離が非常に近い、又は、顔に接した状態となるため、マスク１００と顔との間に熱が鬱積しやすくなる。
【００３０】
第１接触部４１ｂ、４２ｂ及び第２接触部５１ｂ、５２ｂは、帯状部４１ａ、４２ａ及び帯状部５１ａ、５２ａに対して、厚みを大きくするなどによって変形しづらいことが好ましい。また、第１接触部４１ｂ、４２ｂ及び第２接触部５１ｂ、５２ｂは、それぞれ、インナースペーサ１０の端部に位置するため、マスクの損傷や、取り扱い時の安全性を考慮すると、面取りを施し、又は、矩形板状に代えて楕円板状とすることが好ましい。また、マスクの内面１０１ａに対して面接触することで、装着者Ｕの顔との間の空間が確実に維持されるため、一定以上の面積の平面と厚みを有する板状の形状であることが好ましい。
【００３１】
図３（ａ）、（ｂ）に示す例では、第２接触部５１ｂ、５２ｂが、マスク本体１０１の上下３段のプリーツ１０３、１０４、１０５のうち、上から２段目のプリーツ１０４に当接している。左右の第２腕部５１、５２は、上述の通り、支持部２１、２２から下側へ延びるだけでなく前方へも延びているため、装着者Ｕの鼻Ｎに装着したインナースペーサ１０の上からマスク本体１０１を配置すると、第２接触部５１ｂ、５２ｂとマスク本体１０１との接触によって、マスク本体１０１が顔面側へ近づくことが規制され、顔面とマスク本体１０１の内面１０１ａとの間に空間Ｓが確保される（図４参照）。
【００３２】
図１（ａ）に示すように、左側の支持部２１は、上下に延びる矩形状の外形を有する枠部２１ａと、上部のみが枠部２１ａに接続され、枠部２１ａ内において下方へ延び、弾性変形可能な舌部２１ｂとを備える。枠部２１ａと舌部２１ｂとにより、インナースペーサ１０の下側からこれらの間に挿入したシート材を挟持可能なクリップ構造が形成される。
【００３３】
さらに、枠部２１ａにおいては、互いに平行に上下に延びる２つの辺部に、厚み方向に凹凸を有する２つの段部２１ｃが、上下方向において同じ位置に設けられている。２つの段部２１ｃは、上下方向において、舌部２１ｂの略中央に対応する位置に設けられている。この段部２１ｃは、枠部２１ａと舌部２１ｂとでシート材６０（図５（ａ）参照）を挟持したときにシート材６０と噛み合うため、シート材６０が確実に支持部２１に保持される。
【００３４】
図１（ａ）、（ｃ）に示すように、右側の支持部２２は、左側の支持部２１と左右対称な形状を備え、上下に延びる矩形状の外形を有する枠部２２ａと、上部のみが枠部２２ａに接続され、枠部２２ａ内において下方へ延び、弾性変形可能な舌部２２ｂとを備える。枠部２２ａと舌部２２ｂとにより、インナースペーサ１０の下側からこれらの間に挿入したシート材を挟持可能なクリップ構造が形成される。
【００３５】
さらに、枠部２２ａにおいては、互いに平行に上下に延びる２つの辺部に、厚み方向に凹凸を有する２つの段部２２ｃが、上下方向において同じ位置に設けられている。２つの段部２２ｃは、上下方向において、舌部２２ｂの略中央に対応する位置に設けられている。この段部２２ｃは、枠部２２ａと舌部２２ｂとでシート材６０（図５（ａ）参照）を挟持したときにシート材６０と噛み合うため、シート材６０が確実に支持部２１に保持される。したがって、左右の支持部２１、２２のクリップ構造によって、シート材６０が容易に装着され、左右のバランス良く、確実に保持される。
【００３６】
図５（ａ）に示すように、２つの支持部２１、２２によりシート材６０（インナーマスクシート）が挟持される。シート材６０としては、各種の材料を用いることができ、例えば、シート状の不織布、ガーゼ又は布状の綿布が挙げられる。このようなシート材６０を装着したインナースペーサ１０を用いると、人の顔の大きさや形状などで個人差がある中で、マスク１００が装着者Ｕの顔に密着せずに隙間が生じてしまった場合にも、鼻Ｎや口元をシート材６０で覆うことができるため、花粉やウイルスの侵入の防止に資することができる。
【００３７】
＜第２実施形態＞
図６（ａ）、（ｂ）に示すように、第２実施形態に係るインナースペーサ１１０は、第１実施形態と同様に、長板状の鼻当て部１１１と、鼻当て部１１１の長手方向Ｌの両端に設けられた一対の支持部１２１、１２２とを備える。左側の支持部１２１からは、第１保持部１３１と、第１腕部１４１と、第２腕部１５１とが延出している。第１保持部１３１は、鼻当て部１１１の長手方向Ｌに沿って、鼻当て部１１１から離れるように左側へ延び、第１腕部１４１は、支持部１２１において第１保持部１３１よりも下側の位置から、第１保持部１３１と略平行に、かつ、前側へ延びている。第２腕部１５１は、支持部１２１の下端部から、下側へ、かつ、前側へ延びている。右側の支持部１２２からは、第２保持部１３２と、第１腕部１４２と、第２腕部１５２とが延出している。第２保持部１３２は、鼻当て部１１１の長手方向Ｌに沿って、鼻当て部１１１から離れるように右側へ延び、第１腕部１４２は、支持部１２１において第２保持部１３２よりも下側の位置から、第２保持部１３２と略平行に、かつ、前側へ延びている。第２腕部５２は、支持部２２の下端部から、下側へ、かつ、前側へ延びている。インナースペーサ１１０の形成材料は、第１実施形態と同様である。
【００３８】
図６（ｂ）に示すように、鼻当て部１１１は、長板状の部材を前側へ突出するように湾曲させた形状を有しており、長手方向が装着者Ｕの左右方向にほぼ沿うように配置され、かつ、装着者Ｕの鼻Ｎの形状に合わせて弾性変形させて装着者Ｕの鼻Ｎに対して接触配置される（図８（ａ）、（ｂ）参照）。この状態からマスク１００でインナースペーサ１１０を覆い、マスク１００のノーズワイヤ１０２を、装着者Ｕの鼻Ｎの形状に合わせて弾性変形させることでマスク１００のマスク本体１０１を、鼻Ｎ及びインナースペーサ１０に対して位置決めした状態で、マスク１００の一対の掛けひも１０６を装着者Ｕの両耳にそれぞれ掛けることにより、インナースペーサ１１０を装着者Ｕの顔面側へ押しつける力が働くため、装着者Ｕの顔面におけるマスク装着部分とマスク本体１０１の内面１０１ａとの間に介装された状態でインナースペーサ１１０が位置決めされる。
【００３９】
第２実施形態のインナースペーサ１１０においても、左右の支持部１２１、１２２のクリップ構造によって、シート材１６０が容易に装着され、左右のバランス良く、確実に保持される（図８（ｂ）参照）。
【００４０】
以下、第１実施形態のインナースペーサ１０と異なる構成を中心にして説明する。これ以外の構成については、上述の通り、第１実施形態と同様であるため詳細な説明は省略する。
図６（ｂ）に示すように、第２実施形態の第１保持部１３１と第２保持部１３２は、支持部１２１、１２２からそれぞれ後方へ延出し、さらに後端側では後方に凸となる曲面状に形成されている。これにより、インナースペーサ１１０を装着したときに、一対の保持部１３１、１３２は曲面が装着者Ｕの顔（頬）に弾性的に接触する。このため、装着者Ｕの顔に対して、インナースペーサ１１０からの力を分散させることができ、ソフトな装着感を実現することが可能となる。
【００４１】
図６（ａ）に示すように、一対の第１腕部１４１、１４２は、第１実施形態の一対の第１腕部４１、４２と同様に、左右方向において外方へ、かつ、前方へ延びる帯状部１４１ａ、１４２ａをそれぞれ備え、帯状部１４１ａ、１４２ａの先端部には、板状の第１接触部１４１ｂ、１４２ｂがそれぞれ設けられている。第１接触部１４１ｂ、１４２ｂは、第１実施形態における、平面視略正方形状の第１接触部４１ｂ、４２ｂを下方に延ばした略長方形状に形成されており、面積は第１実施形態の第１接触部４１ｂ、４２ｂよりも大きくなっている。
【００４２】
第１接触部１４１ｂ、１４２ｂをこのような形状とサイズにしたことにより、図７（ｃ）、（ｄ）に示すように、マスク本体１０１の内面１０１ａに接触しやすくなるとともに、プリーツ１０３内へ入り込みやすくなっている。よって、マスク１００とインナースペーサ１１０との一体性の向上に寄与している。
【００４３】
図６（ａ）、図７（ａ）、（ｂ）に示すように、一対の第２腕部１５１、１５２は、第１実施形態の一対の第２腕部５１、５２と同様に、下方向へ、かつ、前方へ延びる帯状部１５１ａ、１５２ａをそれぞれ備える。
【００４４】
左側の帯状部１５１ａの先端部には、第２接触部として、いずれも矩形板状の、中間接触体１５１ｂと先端接触体１５１ｃとが設けられている。中間接触体１５１ｂと先端接触体１５１ｃは、平面視で互いに略同一の形状を有し、厚さは互いに同一である。
【００４５】
右側の帯状部１５２ａの先端部にも同様に、第２接触部として、いずれも矩形板状の、中間接触体１５２ｂと先端接触体１５２ｃとが設けられている。中間接触体１５２ｂと先端接触体１５２ｃは、平面視で互いに略同一の形状を有し、厚さは互いに同一である。
【００４６】
左側の中間接触体１５１ｂは、帯状部１５１ａの先端に設けられ、先端接触体１５１ｃは、溝部１５１ｄを介して中間接触体１５１ｂの先端に設けられている。一方、右側の中間接触体１５２ｂは、帯状部１５２ａの先端に設けられ、先端接触体１５２ｃは、溝部１５１ｄと同様の溝部（不図示）を介して中間接触体１５２ｂの先端に設けられている。
【００４７】
溝部１５１ｄは、中間接触体１５１ｂと先端接触体１５１ｃよりも厚さが薄く形成されている。このため、中間接触体１５１ｂと先端接触体１５１ｃは、溝部１５１ｄで屈曲可能となるため、マスク１００の装着状態に応じて広い範囲で内面１０１ａに接触し、内面１０１ａと装着者Ｕの顔との間の空間Ｓの形状を保持しやすくしている。
【００４８】
また、溝部１５１ｄにおいて、先端接触体１５１ｃを容易に切り離すことができるため、装着者Ｕの顔の形状やマスク１００のサイズなどに応じて、第２接触部を中間接触体１５１ｂだけとしたコンパクトな構成にすることができる。
本考案について上記実施形態を参照しつつ説明したが、本考案は上記実施形態に限定されるものではなく、改良の目的または本考案の思想の範囲内において改良または変更が可能である。
【符号の説明】
【００４９】
１０    インナースペーサ
１１    鼻当て部
２１、２２      支持部
２１ａ、２２ａ  枠部
２１ｂ、２２ｂ  舌部
２１ｃ、２２ｃ  段部
３１    第１保持部
３２    第２保持部
４１、４２      第１腕部
４１ａ、４２ａ  帯状部
４１ｂ、４２ｂ  第１接触部 
５１、５２      第２腕部
５１ａ、５２ａ  帯状部
５１ｂ、５２ｂ  第２接触部
６０      シート材
１００    マスク
１０１    マスク本体
１０１ａ  内面
１０２    ノーズワイヤ
１０３、１０４、１０５  プリーツ
１１０    インナースペーサ
１１１    鼻当て部
１２１、２２      支持部
１３１    第１保持部
１３２    第２保持部
１４１、１４２      第１腕部
１４１ａ、１４２ａ  帯状部
１４１ｂ、１４２ｂ  第１接触部
１５１、１５２      第２腕部
１５１ａ、１５２ａ  帯状部
１５１ｂ、１５２ｂ  中間接触体（第２接触部）
１５１ｃ、１５２ｃ  先端接触体（第２接触部）
１６０      シート材
ＦＬ      装着者の左手の指
ＦＲ      装着者の右手の指
Ｎ        鼻
Ｓ        空間
Ｕ        装着者（装着者の顔面）
【図１】
0003227752.tif 000003
【図２】
0003227752.tif 000004
【図３】
0003227752.tif 000005
【図４】
0003227752.tif 000006
【図５】
0003227752.tif 000007
【図６】
0003227752.tif 000008
【図７】
0003227752.tif 000009
【図８】
0003227752.tif 000010